(57)【要約】【課題】優れた構造的一体性を有する組立体、及び、雨水貯留浸透施設を提供する。【解決手段】地下貯水空間に埋設される組立体１であって、複数の構造体１０と、中間板２０とを含む。構造体１０の側壁部１１は、内部空間１００を画定している。第１の開口部１６は、側壁部１１の端縁によって画定されている。仕切り部１２は、側壁部１１に結合されている。第２の開口部１７は、第１の開口部１６内において、仕切り部１２の端縁によって画定されている。中間板２０の凸部２５は、第２の開口部１７に差込可能な外周形状を有し、第２の開口部１７に対応する位置に突設されている。凹溝部２６は、凸部２５によって画定されている。複数の構造体１０は、第１の開口部１６が中間板２０を介して向かい合う関係で積層され、凸部２５が第２の開口部１７に差し込まれ、且、凹溝部２６に仕切り部１２が嵌合されている。【選択図】図１
2012057388.tif 000002
【特許請求の範囲】
【請求項１】
地下に埋設され、雨水貯留浸透施設の貯水空間を構成するために用いられる組立体であって、複数の構造体と、中間板とを含み、
前記構造体は、側壁部と、内部空間と、仕切り部と、第１の開口部と、複数の第２の開口部とを有しており、
前記側壁部は、筒状であって軸方向に向かい合う端縁を有し、前記内部空間を画定しており、
前記第１の開口部は、前記側壁部の前記端縁によって画定され、前記内部空間に通じており、
前記仕切り部は、前記内部空間において、前記側壁部に結合されており、
前記第２の開口部は、前記第１の開口部の開口端縁内において、前記仕切り部の端縁によって画定され、内部空間に通じており、
前記中間板は、基板部と、複数の凸部と、凹溝部とを有し、前記第１の開口部を覆っており、
前記凸部は、前記第２の開口部に差込可能な外周形状を有し、前記基板部の一面及び他面において、前記複数の第２の開口部に対応する位置に突設されており、
前記凹溝部は、前記複数の凸部によって画定され、前記仕切り部の端縁の幅寸法に追従する幅寸法を有しており、
前記複数の構造体は、互いの前記第１の開口部が前記中間板を介して向かい合う関係で積層され、前記積層された状態で前記凸部が前記第２の開口部に差し込まれ、且、前記凹溝部に前記仕切り部の前記端縁が嵌合されている、
組立体
【請求項２】
請求項１に記載された雨水貯留浸透施設用組立体であって、複数の中間板を含み、
前記複数の中間板は、前記第１の開口部の開口領域に沿って縦横に配置されている、
組立体。
【請求項３】
請求項１又は２に記載された雨水貯留浸透施設用組立体であって、前記中間板は、点検孔を有し、
前記点検孔は、基板部の面内において、第２の開口部の開口端縁に重なる位置に配置され、基板部を一面から他面に貫通している、
組立体。
【請求項４】
雨水貯留浸透施設用組立体を含む雨水貯留浸透施設であって、
前記組立体は、請求項１乃至３の何れかに記載されたものでなり、地下に埋設されている、
雨水貯留浸透施設。
【発明の詳細な説明】
【技術分野】
【０００１】
本発明は、雨水貯留浸透施設用組立体、及び、これを用いた雨水貯留浸透施設に関する。
【背景技術】
【０００２】
雨水貯留浸透施設について、従来より種々のタイプのものが提案され、実用に供されている。例えば、特許文献１に開示されている雨水貯留浸透施設は、構造体を有している。特許文献１記載の構造体は、複数の枠状部材を、地下貯水空間の容量を画定する内壁に沿って六面体状に組み合わせたものでなり、内壁の崩壊を防止するために、地下貯水空間に埋設される。
【０００３】
ところで、この種の雨水貯留浸透施設には、一般住宅向けの小容量なものから、商業施設向けの大容量なものまで幅広い需要が存在し、需要に応じて地下貯水空間の具体的な容量が決定される。特に、大容量の雨水貯留浸透施設を設置する場合、予め決定された地下貯水空間の高さ寸法に追従して、複数の構造体を高さ方向に積み重ねる必要が生じる。従って、この種の構造体、及び、構造体を積み重ねて形成される組立体には、土圧等の押圧力や、上載荷重に十分耐えうる構造的一体性を有していることが求められる。
【０００４】
また、構造体を積み重ねて組立体を構成する場合、積層数に比例して構成部材数が増えるから、組立作業を効率的に行いうることが求められる。さらに、構造体を積み重ねて組立体を構成する場合、基礎となる下層側の構造体上で、上層側の構造体の組立作業を行うこととなるから、組立作業を安全に行いうることが求められる。
【０００５】
しかし、特許文献１記載の発明では、上述した何れの要請に対しても充分に応えることができない。例えば、特許文献１の図１５では、複数の枠状部材により構成される構造体を、高さ方向に直接積み重ねて組立体を構成しているから、構造的一体性の面で改善の余地が認められる。
【０００６】
また、特許文献１では、枠状部材、又は、複数の枠状部材により構成される構造体を、高さ方向に直接積み重ねて組立体を構成しているから、作業員は、足場の悪い下層側の構造体上で、上層側の構造体の組立作業を行うこととなる。従って、組立作業の効率性、及び、安全性確保の観点から改善の余地が認められる。
【先行技術文献】
【特許文献】
【０００７】
【特許文献１】特開２００８−０５７２８２号公報
【発明の概要】
【発明が解決しようとする課題】
【０００８】
本発明の課題は、優れた構造的一体性を有する雨水貯留浸透施設用組立体、及び、これらを用いた雨水貯留浸透施設を提供することである。
【０００９】
本発明のもう１つの課題は、組立作業の効率を向上させ、且、組立作業の安全性を確保しうる雨水貯留浸透施設用組立体、及び、これらを用いた雨水貯留浸透施設を提供することである。
【課題を解決するための手段】
【００１０】
本発明に係る組立体は、地下に埋設され、雨水貯留浸透施設の貯水空間を構成するために用いられるものであって、上述した課題を解決するため、複数の構造体と、中間板とを含む。
【００１１】
構造体は、側壁部と、内部空間と、仕切り部と、第１の開口部と、複数の第２の開口部とを有している。側壁部は、筒状であって軸方向に向かい合う端縁を有し、内部空間を画定している。第１の開口部は、側壁部の端縁によって画定され、内部空間に通じている。仕切り部は、内部空間において、側壁部に結合されている。第２の開口部は、第１の開口部の開口端縁内において、仕切り部の端縁によって画定され、内部空間に通じている。
【００１２】
中間板は、基板部と、複数の凸部と、凹溝部とを有し、第１の開口部を覆っている。凸部は、第２の開口部に差込可能な外周形状を有し、基板部の一面及び他面において、複数の第２の開口部に対応する位置に突設されている。凹溝部は、複数の凸部によって画定され、仕切り部の端縁の幅寸法に追従する幅寸法を有している。
【００１３】
複数の構造体は、互いの第１の開口部が中間板を介して向かい合う関係で積層され、積層された状態で凸部が第２の開口部に差し込まれ、且、凹溝部に仕切り部の端縁が嵌合されている。
【００１４】
本発明に係る雨水貯留浸透施設用組立体は、地下に埋設され、雨水貯留浸透施設の貯水空間を構成する。
【００１５】
上述したように、本発明に係る組立体を構成する構造体の内部空間は、側壁部により画定されているから、地下に埋設された場合に、構造体の内部空間を、空間効率の高い地下貯水空間として用いることができる。
【００１６】
仕切り部は、内部空間において、側壁部に結合されている。この構造によると、構造体を構成する側壁部は、仕切り部によって内部から支持されているから、地下に埋設された場合に周囲から加えられる土圧等の押圧力や、上載荷重に十分耐えうる構造的一体性を有することができる。
【００１７】
第１の開口部は、側壁部の端縁によって画定され、内部空間に通じている。中間板は、第１の開口部を覆っている。この構造によると、組立体の組立作業時に、基礎となる下層側の構造体の第１の開口部が中間板で覆われることにより、作業員は、中間板の上を歩きながら、上層側の構造体の組立作業を行うことができる。従って、組立作業の効率を向上し、且、安全性を確保することができる。
【００１８】
中間板において、凸部は、第２の開口部に差込可能な外周形状を有し、基板部の一面及び他面において、複数の第２の開口部に対応する位置に突設されている。複数の構造体は、中間板を介して第１の開口部が向かい合う関係で積層され、積層された状態で凸部が第２の開口部に嵌合され、且、仕切り部の端縁が間隔に案内されている。この構造によると、構造体に対する中間板の位置決めが容易になり、組立作業を効率的に行うことができる。
【００１９】
また、複数の構造体は、積層された状態で凸部が第２の開口部に嵌合され、且、凹溝部に仕切り部の端縁が嵌合されている。この構造によると、第２の開口部に凸部が嵌合されることにより、構造体の揺動が防止されるから、中間板と構造体との構造的一体性が向上する。しかも、１つの中間板に突設された複数の嵌合部が、それぞれ第２の開口部に嵌合されるとともに、仕切り部の端縁が間隔に案内されているから、中間板と構造体との構造
的一体性が向上する。
【００２０】
上述した効果は、中間板の一面及び他面で奏することができる。すなわち、複数の構造体は、中間板を介して第１の開口部が向かい合う関係で積層されるから、組立体全体の構造的一体性が向上する。
【発明の効果】
【００２１】
以上述べたように、本発明によれば、次のような効果を得ることができる。
（１）優れた構造的一体性を有する雨水貯留浸透施設用組立体、及び、これらを用いた雨水貯留浸透施設を提供することができる。
（２）組立作業の効率を向上させ、且、組立作業の安全性を確保しうる雨水貯留浸透施設用組立体、及び、これらを用いた雨水貯留浸透施設を提供することができる。
【００２２】
本発明の他の目的、構成及び利点については、添付図面を参照し、更に詳しく説明する。添付図面は、単に、例示に過ぎない。
【図面の簡単な説明】
【００２３】
【図１】本発明の一実施形態に係る雨水貯留浸透施設用組立体の斜視図である。
【図２】図１に示した組立体の分解構造を示す斜視図である。
【図３】図２の構造体について内部構造を分解して示す斜視図である。
【図４】図３に示した第１の構成部材の斜視図である。
【図５】図３に示した第２の構成部材の斜視図である。
【図６】図３に示した第３の構成部材の斜視図である。
【図７】図３に示した第４の構成部材の斜視図である。
【図８】図２の構造体の平面図である。
【図９】図２の中間板の平面図である。
【図１０】図９の１０−１０線に沿った断面図である。
【図１１】図２の蓋板について裏側から見た斜視図である。
【図１２】図１の組立体の内部構造について一部を破断して示す正面断面図である。
【図１３】本発明の一実施形態に係る雨水貯留浸透施設について一部を破断して示す正面断面図である。
【図１４】本発明のもう一つの実施形態に係る雨水貯留浸透施設の平面図である。
【図１５】図１４の雨水貯留浸透施設について一部を破断して示す側面図である。
【図１６】図１４の雨水貯留浸透施設を構成する組立体の分解構造を示す斜視図である。
【図１７】図１５の組立体の平面図である。
【図１８】本発明のもう一つの実施形態に係る組立体に用いられる中間板の平面図である。
【図１９】図１８の１９−１９線に沿った断面図である。
【発明を実施するための形態】
【００２４】
図１乃至図１９において同一符号は、同一又は対応部分を示すものとする。また、図１乃至図１９の説明において、組立体の高さ方向、構造体の軸方向、構成部材の縦方向、及び、中間板の厚み方向は、それぞれ一致するから、全て符号Ｈに統一して示す。同様に、組立体の周方向、構成部材の横方向、中間板の横方向は、符号Ｗで示す。また、構成部材の厚み方向、中間板の縦方向は、符号Ｌで示す。
【００２５】
本発明の一実施形態に係る組立体は、雨水貯留浸透施設において、地下貯水空間を画定
する設置穴の内壁の崩壊を防止するため、地下に埋設される。本明細書において「雨水貯留浸透施設」は、雨水貯留施設と、雨水浸透施設との両者を含む。雨水貯留施設は、雨水の有効利用の目的、及び、雨水が側溝や、下水道管路、河川などへ短時間で流入することにより生じる都市型浸水災害を防止する目的を有し、地下に、集水した雨水の貯水空間を有している。他方、雨水浸透施設は、上述した雨水貯留施設の目的に加え、地下水を涵養し、もって地盤沈下を抑止する目的を有し、地下貯水空間に貯留した雨水を、地中に緩やかに排出し浸透させる。
【００２６】
図１及び図２の組立体は、第１の構造体１０ａと、中間板２０と、第２の構造体１０ｂと、蓋板３０とを含み、それらが上述した順序で高さ方向Ｈに沿って積み重ねられ、積み重ねられた状態で相互に着脱可能に結合されている。
【００２７】
第１の構造体１０ａ、中間板２０、第２の構造体１０ｂ、及び、蓋板３０のそれぞれは、合成樹脂材料を用いた一体成型物である。用いられる合成樹脂材料としては、成形容易性、耐腐食性、軽量性、剛性、材料コストなどの観点から、ポリエチレン（ＰＥ）、ポリプロピレン（ＰＰ）、塩化ビニル樹脂（ＰＶＣ）、ポリエチレンテレフタレート（ＰＥＴ）等が一般的である。さらに、これらの合成樹脂材料を母材とする繊維強化プラスチック（ＦＲＰ）を用いることもできる。
【００２８】
図２の第１の構造体１０ａは、筒状の側壁部１１と、内部空間１００と、仕切り部１２と、第１の開口部１６と、複数の第２の開口部１７とを有している。第１の構造体１０ａと、第２の構造体１０ｂとは、同一の構造を有している。
【００２９】
側壁部１１は、筒状の周壁部分であって、筒状の中心軸に沿った高さ方向Ｈに向かい合う第１の開口部１６を有し、内部空間１００を画定している。図１及び図２の組立体の各構成要素について、以下、図３乃至図１２を参照しながら説明する。図３の側壁部１１は、複数の第１の構成部材１１１（図４参照）と、複数の第２の構成部材１１２（図５参照）とを含み、第１、第２の構成部材１１１、１１２が筒状に配置され、互いに隣接する幅方向Ｗの２辺が着脱可能に結合され、結合された状態で周方向Ｗに連続している。
【００３０】
図４の第１の構成部材１１１は、雨水浸透施設に用いられるものであって、面板部１１１０と、通水孔１３と、１つの凹状嵌合部１４と、２つの凸状嵌合部１５とを含む。
【００３１】
面板部１１１０は、平板状であって、板面の大部分が閉じており、一面の側の空間と、他面の側の空間とを仕切ることができる。面板部１１１０は、板面が正方形形状であって、板面の幅方向Ｗで相対向する２辺１１１２、１１１３と、幅方向Ｗに交差する高さ方向Ｈで相対向する２辺１１１４、１１１５とを有している。
【００３２】
面板部１１１０は、一面及び他面に対して、リブ１１１１が垂直に突設された断面Ｈ形構造を有している。リブ１１１１は、一面及び他面の面内を、幅方向Ｗ及び高さ方向Ｈに沿って伸び、格子状に交差している。
【００３３】
通水孔１３は、リブ１１１１によって格子状に区画された領域内において、面板部１１１０を厚み方向Ｌに貫通している。通水孔１３は、第１の構造体１０ａが雨水貯留施設に用いられる場合には、設けないこともできる。
【００３４】
凹状嵌合部１４は、面板部１１１０の幅方向Ｗの中央部に形成され、中央部おいて、面板部１１１０の一面及び他面を、高さ方向Ｈに沿って条状に連続して伸びている。凸状嵌合部１５は、面板部１１１０の幅方向Ｗで相対向する２辺１１１２、１１１３のそれぞれにおいて、２辺１１１２、１１１３の端面から幅方向Ｗに後退した位置に形成され、高さ
方向Ｈに沿って連続して伸びている。凸状嵌合部１５は、凹状嵌合部１４に嵌合可能な構造を有する。
【００３５】
図５の第２の構成部材１１２は、雨水浸透施設に用いられるものであって、面板部１１２０と、通水孔１３と、凹状嵌合部１４と、凸状嵌合部１５とを含む。図５の第２の構成部材１１２は、図４に示した第１の構成部材１１１と共通する基本的構成を有するから、詳細は省略する。
【００３６】
図５の第２の構成部材１１２の特徴の一つは、幅寸法Ｗ１１２が、図４の第１の構成部材１１１の幅寸法Ｗ１１１の半分程度となっている点である。この構造によると、幅方向Ｗに沿って、２つの第２の構成部材１１２を連結することにより、図４の第１の構成部材１１１と同じ幅寸法Ｗ１１１となる側壁部分を構成することができる。
【００３７】
面板部１１２０は、平板状であって、板面の大部分が閉じており、一面の側の空間と、他面の側の空間とを仕切ることができる。面板部１１２０は、板面が長方形形状であって、板面の幅方向Ｗで相対向する２辺１１２２、１１２３と、幅方向Ｗに交差する高さ方向Ｈで相対向する２辺１１２４、１１２５とを有している。
【００３８】
面板部１１２０は、一面及び他面に対してリブ１１２１が垂直に突設された断面Ｈ形構造を有している。リブ１１２１は、一面及び他面の面内を、幅方向Ｗ及び高さ方向Ｈに沿って伸び、格子状に交差している。
【００３９】
通水孔１３は、リブ１１２１によって格子状に区画された領域内において、面板部１１２０を厚み方向Ｌに貫通している。通水孔１３は、第１の構造体１０ａが雨水貯留施設に用いられる場合には、設けないこともできる。
【００４０】
図５の第２の構成部材１１２のもう一つの特徴は、幅方向Ｗに向かい合う２辺１１２２、１１２３に、それぞれ凹状嵌合部１４、凸状嵌合部１５を有している点にある。凹状嵌合部１４は、辺１１２３において、辺１１２３の端面から幅方向Ｗに後退した位置に形成され、面板部１１２０の一面及び他面を、高さ方向Ｈに沿って条状に連続して伸びている。凸状嵌合部１５は、辺１１２２において、辺１１２２の端面から幅方向Ｗに後退した位置に形成され、高さ方向Ｈに沿って連続して伸びている。この構成によると、図４の第１の構成部材１１１のみを用いて組み合わせたときに生じる隙間に対して第２の構成部材１１２を取り付けることにより、前記隙間を第２の構成部材１１２で塞ぐことができる。
【００４１】
次に、図２、図３の仕切り部１２は、内部空間１００において、向かい合う側壁部１１の内面に結合され、側壁部１１を内側から支える。より詳細に説明すると、仕切り部１２は、第３の構成部材１２１（図６参照）と、第４の構成部材１２２（図７参照）とを含む。
【００４２】
図６の第３の構成部材１２１は、枠状体である点を除き、図４の第１の構成部材１１１と、基本的に同一の構成を有している。以下、簡単に説明すると、第３の構成部材１２１は、平板状であって、外枠部１２１０と、凹状嵌合部１４と、凸状嵌合部１５と、内枠部１２１６と、貫通部１２１７とを有している。
【００４３】
外枠部１２１０は、内板と、リブ１２１１とによって構成されており、内板に対してリブ１２１１が垂直に突設された断面Ｈ形構造を有している。また、外枠部１２１０は、高さ方向Ｈにおいて相対向する二辺１２１４、１２１５のうちの下辺１２１５の側において、内板の面内に通水孔１３を有している。
【００４４】
外枠部１２１０は、幅方向Ｗで相対向する２辺１２１２、１２１３と、高さ方向Ｈで相対向する２辺１２１４、１２１５とによって略正方形形形状に構成されており、枠状の中央部に貫通部１２１７を有している。貫通部貫通部１２１７は、一面から他面に向かって板面を厚み方向Ｌに貫通している。
【００４５】
内枠部１２１６は、外枠部１２１０の枠内に形成され、外枠部１２１０の高さ方向Ｈの中央部において、幅方向Ｗに沿って条状に連続して伸びている。内枠部１２１６は、外枠部１２１０と同じ基本的構成を有し、内板の両端にリブ１２１１が突設された断面Ｈ形構造を有している。
【００４６】
凹状嵌合部１４は、外枠部１２１０の幅方向Ｗの中央部において、高さ方向Ｈに沿って条状に連続して伸びている。即ち、第３の構成部材１２１は、凹状嵌合部１４と、内枠部１２１６によって、外枠部１２１０の中央部分が格子状に４分割されている。
【００４７】
凸状嵌合部１５は、幅方向Ｗで相対向する２辺１２１２、１２１３のそれぞれにおいて、２辺１２１２、１２１３の端面から幅方向Ｗに後退した位置に形成され、高さ方向Ｈに沿って連続して伸びている。
【００４８】
貫通部１２１７は、外枠部１２１０の内部領域を構成する貫通部分が、凹状嵌合部１４と、内枠部１２１６によって、格子状に４分割されて形成されている。貫通部１２１７は、部材の軽量化、及び、製造コストの低減を図るとともに、第３の構成部材１２１が雨水貯留浸透施設に用いられた場合に、貯留された雨水の流動性を向上させる。
【００４９】
図７の第４の構成部材１２２は、枠状である点を除き、図５の第２の構成部材１１２と、基本的に同一の構成を有している。以下、簡単に説明すると、第４の構成部材１２２は、平板状であって、外枠部１２２０と、凹状嵌合部１４と、凸状嵌合部１５と、内枠部１２２６と、貫通部１２２７とを有している。
【００５０】
外枠部１２２０は、内板と、リブ１２２１とによって構成されており、内板に対してリブリブ１２２１が垂直に突設された断面Ｈ形構造を有している。また、外枠部１２２０は、高さ方向Ｈにおいて相対向する二辺１２２４、１２２５のうちの下辺１２２５の側において、内板の面内に通水孔１３を有している。
【００５１】
外枠部１２１０は、幅方向Ｗで相対向する２辺１２２２、１２２３と、高さ方向Ｈで相対向する２辺１２２４、１２２５とによって略長方形形状に構成されており、枠状の中央部に貫通部１２２７を有している。貫通部１２２７は、一面から他面に向かって板面を厚み方向Ｌに貫通している。
【００５２】
内枠部１２２６は、高さ方向Ｈの中央部において、幅方向Ｗに沿って条状に連続して伸びている。図７では、内枠部１２２６によって、外枠部１２２０の貫通部分が高さ方向Ｈに２分割され、２つの貫通部１２２７が構成されている。
【００５３】
凹状嵌合部１４は、辺１２２３において、辺１２２３の端面から幅方向Ｗに後退した位置に形成され、高さ方向Ｈに沿って条状に連続して伸びている。凸状嵌合部１５は、辺１２２２において、辺１２２２の端面から幅方向Ｗに後退した位置に形成され、高さ方向Ｈに沿って伸びている。
【００５４】
第１〜第４の構成部材１１１〜１２２において、凸状嵌合部１５と、凹状嵌合部１４とは、相互に嵌合可能な構造を有している。図４乃至図７の第１〜第４の構成部材１１１〜１２２の結合構造について、図８を参照して説明する。
【００５５】
図８に示すように、第１、第２の構成部材１１１、１１２は、一点鎖線で示す所定の施工面形状ｓに沿って筒状に配置され、配置された状態で隣接する辺（１１１２、１１１３、１１２２、１１２３）が、凹状状嵌合部１４と、凸状嵌合部１５との凹凸嵌合によって着脱可能に結合される。その結果、第１、第２の構成部材１１１、１１２は、平面視、正方形形状となる側壁部１１（斜線面付け表記）を構成し、この側壁部１１によって画定される内部空間１００が立方体状となっている。施工面形状ｓは、具体的な施工条件にあわせて予め形成され、第１、第２の構成部材１１１、１１２の使用枚数、及び、結合態様は、施工面形状ｓの形状、面積によって決定される。
【００５６】
他方、第３、第４の構成部材１２１、１２２は、この内部空間１００の容量に追従して組み合わされる。第３、第４の構成部材１２１、１２２は、側壁部１１の内面に対して、垂直に突き当たる関係で配置され、凹状嵌合部１４が、第１、第２の構成部材１１１、１１２の凸状嵌合部１５に結合され、第１、第２の構成部材１１１、１１２を筒状に結合するとともに、側壁部１１を内側から支えている。
【００５７】
さらに、第３、第４の構成部材１２１、１２２は、内部空間１００において、幅方向Ｗの２辺（１２１２及び１２１３、１２２２及び１２２３）のうち、辺１２２２が十字形状の交点で凹状、凸状嵌合部１４、１５によって着脱可能に結合され、十字の交点に向かい合う側の端部（辺１２１２、１２２３）が側壁部１１を構成する第１、第２の構成部材１１１、１１２に着脱可能に結合され、結合された状態で内部空間１００を仕切っている。
【００５８】
図１乃至図８の第１の開口部１６の開口端縁は、側壁部１１を構成する第１、第２の構成部材１１１、１１２の高さ方向Ｈの辺（１１１４、１１２４）によって、正方形形状に画定されている。第１の開口部１６は、内部空間１００の軸方向Ｈに向かい合い、内部空間１００に通じている。
【００５９】
図１乃至図８の第２の開口部１７は、第１の開口部１６の内側において、仕切り部１２を構成する第３、第４の構成部材１２１、１２２の高さ方向Ｈの辺１２１４、１２２４によって十字形状に画定され、内部空間１００に通じている。図８の第１の構造体１０ａの軸方向Ｈの端面は、第１の開口部１６によって画定される開口端縁と、その内部に形成された、第２の開口部１７の開口端縁により、全体として田の字状となっている。
【００６０】
図１及び図２の組立体は、図示しない雨水貯留浸透施設の地下貯水空間の容積に応じて、図３の構造体を２つ用意し、用意した第１、第２の構造体１０ａ、１０ｂを、互いの第１の開口部１６が向かい合う関係で高さ方向Ｈに積層している。ここで、第２の構造体１０ｂを第１の構造体１０ａに単に載置しただけでは、土圧等の押圧力や、上載荷重に十分耐えうる構造的一体性を確保することができない。そこで、本願発明は、この種の組立体の構造的一体性を確保する観点から、中間板２０（図９及び図１０を参照）を介して第１、第２の構造体１０ａ、１０ｂを連結している点に特徴の一つがある。
【００６１】
図９及び図１０の中間板２０は、第１の開口部１６に取り付けられるものであって、基板部２１と、複数の凸部２５と、凹溝部２６と、通水孔２７とを有している。基板部２１は、少なくとも二組の対向辺組を有する平板状（偏平状）であって、一面と、他面とを有し、第１の開口部１６の開口端縁の形状に追従する四角形形状に成型されている。
【００６２】
図９の基板部２１は、板面の幅方向Ｗで相対向する二辺と、板面の縦方向Ｌで相対向する二辺に、互いに対応する凹部、及び、凸部を有しており、いわゆる「鳩尾継」を構成し得る構造となっている。従って、複数中間板２０を用いた場合に、隣接する中間板２０を鳩尾継し、一方の凹部に、他方の凸部を嵌め込む凹凸嵌合により、全体として平面化され
た配置を実現できる。
【００６３】
基板部２１は、内板２２と、リブ２３とによって構成されており、内板２２の一面及び他面に対して、リブ２３が垂直に突設された断面Ｈ形構造を有している。
【００６４】
凸部２５は、第２の開口部１７に差込可能な平面形状、及び、外周形状を有し、基板部２１の一面及び他面において、第２の開口部１７に対応する位置に突設されている。図９及び図１０の凸部２５は、内板２２の一面及び他面において、複数のリブ２３が格子状に組み合わされるとともに、組み合わされた複数のリブ２３が、平面視、略正方形形状のブロック体を構成している。凸部２５の外周は、上述したブロック体の周面であって、内板２２から高さ方向Ｈに立ち上がるリブ２３の立ち上がり壁２４によって画定されている。
【００６５】
４つの凸部２５は、互いに間隔Ｗ１２を隔てて配置されており、隣接する凸部２５の間に、格子状の凹溝部２６が形成されている。より詳細に説明すると、凹溝部２６は、隣接する凸部２５によって画定され、第２の開口部１７を画定する仕切り部１２の端縁の幅寸法Ｗ１２に相当する間隔寸法を有している。凹溝部２６は、板面上に等配された４つの凸部２５によって、板面の中央部分に交点を有する十文字状となっている。
【００６６】
さらに、凹溝部２６は、第１の凹溝２６１と、第２の凹溝２６２とを含む。第１の凹溝２６１は、幅方向Ｗに向かい合う凸部２５の立ち上がり壁２４によって画定され、幅方向Ｗに直交する縦方向Ｌに沿って条状に延びている。第２の凹溝２６２は、縦方向Ｌに向かい合う凸部２５の立ち上がり壁２４によって画定され、幅方向Ｗに沿って条状に延びており、板面の中央部で第１の凹溝２６１と交差している。
【００６７】
通水孔２７は、リブ２３によって格子状に区画された領域内において、内板２２を厚み方向Ｌに貫通している。
【００６８】
図１及び図２の組立体は、地下に埋設されるものであるから、積層方向Ｈの最上層を構成する第１の構造体１０ａの上側の第１の開口部１６には、通常、蓋板３０（図１１参照）が配置される。図１１の蓋板３０は、図９及び図１０の中間板２０と共通する基本的構成を有し、基板部３１と、４つの凸部３５と、凹溝部３６とを含み、最上部に積層された第２の構造体１０ｂにおいて、中間板２０に向かい合う関係で第１の開口部１６を覆っている。
【００６９】
基板部３１は、少なくとも二組の対向辺組を有する平板状（偏平状）であって、一面と、他面とを有し、第１の開口部１６の開口端縁の形状に追従する四角形形状に成型されている。図１１の基板部３１は、板面の幅方向Ｗで相対向する二辺と、板面の縦方向Ｌで相対向する二辺に、互いに対応する凹部、及び、凸部を有しており、いわゆる「鳩尾継」を構成し得る構造となっている。
【００７０】
基板部３１は、内板３２と、リブ３３とによって構成されており、内板３２の板面に対してリブ３３が垂直に突設された構造を有している。
【００７１】
凸部３５は、第２の開口部１７に差込可能な平面形状、及び、外周形状を有し、第１の開口部１６に向かい合う基板部３１の他面において、複数の第２の開口部１７に対応する位置に突設されている。
【００７２】
図１及び図２の組立体における、図９及び図１０の中間板２０と、図１１の蓋板３０の結合構造について、図１２を参照して説明する。第１、第２の構造体１０ａ、１０ｂは、互いの第１の開口部１６が中間板２０を介して向かい合う関係で積層され、積層された状
態で凸部２５が第２の開口部１７に差し込まれ、且、凹溝部２６に仕切り部１２の端縁が嵌合されている。第２の開口部１７に凸部２５が差し込まれ、凹溝部２６に、仕切り部１２の端縁が嵌合されことにより、組立体の構造的一体性が向上する。違う言葉で表現すれば、複数の第２の開口部１７に対して、中間板２０に一体的に形成された複数の凸部２５を差し込むことにより、中間板２０によって、例えば構造体１０ａの開口端面が固定されるから、組立体の構造的一体性が向上する。中間板２０は、構造体の積層数、すなわち高さ方向Ｈに向かい合う構造体相互の連結部分が増えれば、その分だけ設置が増加する。
【００７３】
蓋板３０は、第２の構造体１０ｂにおいて、上側の第１の開口部１６に取り付けられ、取り付けられた状態で、凸部３５が第２の開口部１７に差し込まれ、且、凹溝部３６に仕切り部１２の端縁が嵌合されている。従って、第２の開口部１７に凸部３５が差し込まれ、凹溝部３６に、仕切り部１２の端縁が嵌合されことにより、組立体の構造的一体性が向上する。
【００７４】
図１２の組立体の構造によると、第１、第２の構造体１０ａ、１０ｂの第１の開口部１６に、それぞれ中間板２０、蓋板３０を凹凸嵌合させるだけでよいから、組立作業が極めて容易になる。しかも、上述した組立構造は、第１〜第４の構成部材１１１〜１２２の第２の開口部１７と、中間板２０の内部構造たる凸部２５、及び、蓋板３０の内部構造たる凸部３５との組み合わせによって行われ、特殊な連結器具を用いる必要がないから組立効率を向上することができる。
【００７５】
図１乃至図１２を参照して説明したように、第１、第２の構造体１０ａ、１０ｂは、第１〜第４の構成部材１１１〜１２２によって組み立てられている。この結合は、第１〜第４の構成部材１１１〜１２２の内部構造たる凹状、凸状嵌合部１４、１５の組み合わせによって行われ、特殊な連結器具を用いる必要がないから組立効率を向上することができる。
【００７６】
また、第１、第２の構造体１０ａ、１０ｂは、第１〜第４の構成部材１１１〜１２２の端部を結合することにより構成されているから、様々な施工条件に追従した側壁部１１を形成することができる。
【００７７】
第１、第２の構成部材１１１、１１２は、それぞれ軽量であって、取り扱いが容易な平板状であるから、組立作業に大型の建設機械等を用いる必要が無い。従って、組立効率を向上することができる。
【００７８】
第１、第２の構成部材１１１、１１２は、板面の大部分が閉じているから、第１、第２の構成部材１１１、１１２を筒状に組み合わせることにより、内部空間１００を画定する側壁部１１を形成することができる。
【００７９】
側壁部１１は、第１、第２の構成部材１１１、１１２の組み合わせによって構成されている。しかも、側壁部１１を内側から支持する第３、第４の構成部材１２１、１２２は枠状であるから、内部空間１００の容量を最大限確保することができる。
【００８０】
図１３は本発明の一実施形態に係る雨水貯留浸透施設について一部を破断して示す正面断面図である。図１３の雨水貯留浸透施設は、雨水浸透施設であって、組立体１と、点検口部材７と、設置穴５と、保護層６とを含む。ＧＬは地表面を示す。
【００８１】
組立体１は、図１乃至図１２を参照して説明したものでなり、設置穴５の内部であって、地下に埋設されている。蓋板３０は、予め所定の箇所に点検のための設置孔が開設されている。点検口部材７は、高さ方向Ｈの一端が蓋板３０に載置され、他端が地表面ＧＬに
配置されている。
【００８２】
保護層６は、設置穴５の内壁面５１と、組立体１の外周面との間に設けられる。保護層６は、不織布等の透水構造を有し、組立体１の内部に土砂や塵埃など異物混入を防止すると共に、組立体１の内部に貯留した雨水を地中に分散浸透させるための排出路として用いられる。もっとも、保護層６は、雨水貯留浸透施設の役割に応じて構造、及び、機能を設定することができる。例えば、雨水貯留浸透施設が貯留施設である場合、保護層６は、合成樹脂材料を主成分とするシート材であって、好ましくはゴムシートを用いた遮水層にかえられる。これは、雨水の貯留を主目的としていることに起因する。
【００８３】
図１３の雨水貯留浸透施設は、図１乃至図１２の組立体１を含むから、図１乃至図１２を参照して説明した組立体１の利点を全て有することができる。例えば、図１３の雨水貯留浸透施設を構成する組立体１において、第１、第２の構造体１０ａ、１０ｂの内部空間１００は、側壁部１１により画定されているから、地下に埋設された場合に、内部空間１００を、空間効率率の高い地下貯水空間５０として用いることができる。
【００８４】
仕切り部１２は、内部空間１００において、向かい合う側壁部１１に結合されている。この構造によると、側壁部１１は、仕切り部１２によって内部から支持されているから、地下に埋設された場合に、内壁５１から加えられる土圧等の押圧力や、地表面ＧＬや、第１、第２の構造体１０ａ、１０ｂ相互の上載荷重に十分耐えうる構造的一体性を有することができる。
【００８５】
第１の開口部１６は、中間板２０によって覆われている。この構造によると、例えば、組立体１の組立作業時に、基礎となる下層側の第１の構造体１０ａの第１の開口部１６が、中間板２０で覆われているから、作業員は、中間板２０上を歩きながら上層側の第２の構造体１０ｂの組立作業を行うことができる。従って、組立作業の効率を向上し、且、安全性を確保することができる。
【００８６】
第１、第２の構造体１０ａ、１０ｂは、中間板２０を介して第１の開口部１６が向かい合う関係で積層され、積層された状態で凸部２５が第２の開口部１７に嵌合され、且、仕切り部１２の端縁が凹溝部２６に案内されている。この構造によると、構造体に対する中間板２０の位置決めが容易になり、組立作業を効率的に行うことができる。
【００８７】
また、第２の開口部１７に凸部２５が嵌合されることにより、組立体１の揺動が防止され、構造的一体性が向上する。しかも、１つの中間板２０に突設された複数の凸部２５が、複数の第２の開口部１７に嵌合されるとともに、仕切り部１２の端縁が凹溝部２６に案内されているから、中間板２０と第１、第２の構造体１０ａ、１０ｂとの構造的一体性が向上する。
【００８８】
図１４乃至図１７の雨水貯留浸透施設は、本発明に係る組立体１がとりうる変形例を示すものであって、例えば商業施設向けなどの大容量な地下貯水空間５０を有する構成例を示している。図１４乃至図１７の雨水貯留浸透施設は、雨水浸透施設であって、組立体１と、設置穴５と、保護層６と、点検口部材７と、流入施設８と、流出施設９とを含む。
【００８９】
組立体１は、図１乃至図１２を参照して説明したものでなり、設置穴５の内部に埋設されている。組立体１は、図１７に示すように、一点鎖線で示す所定の施工面形状ｓに沿って、第１、第２の構成部材１１１、１１２の使用枚数を増加させることにより、施工面形状ｓに沿った側壁部１１を構成し、構成された側壁部１１の内部に第３、第４の構造体１２１、１２２を縦横に連結して仕切り部１２を構成することにより、具体的な施工条件にあわせて構造体を構成することができる。
【００９０】
図１乃至図１２を参照して説明したように、本発明に係る組立体１の特徴の一つは、第１、第２の構成部材１１１、１１２を、互いに隣接する幅方向Ｗの辺で結合することにより施工面形状ｓに沿って側壁部１１を構成することができる。さらにこの側壁部１１の内部領域において地下貯水空間５０の容積に追従して仕切り部１２を形成することにより、側壁部１１を内側から支えることができる。従って、組立体１は、施工に係る地下貯水空間５０の容積に追従して、第１〜第４の構成部材１１１〜１２２の配置を調節することができる。
【００９１】
さらに、図１４乃至図１７の組立体１は、複数の中間板２０と、複数の蓋板３０とを含む。複数の蓋板３０は、第１の開口部１６の開口領域に沿って縦横に配置され、第２の構造体１０ｂの第１の開口部１６を覆っている。
【００９２】
複数の中間板２０は、第１の開口部１６の開口領域に沿って縦横に配置され、第１の構造体１０ａの第１の開口部１６を覆っている。複数の中間板２０において、点検口部材７が載置される場所には、図１８の中間板２０ｂが配置される。図１８の中間板２０ｂは、点検孔２８を有すること以外は、図９及び図１０の中間板２０と同一の構成を有する。点検孔２８は、基板部２１の面内において、第２の開口部１７の開口端縁に重なる位置に配置され、基板部２１を一面から他面に貫通している。
【００９３】
図１４乃至図１７の雨水貯留浸透施設において、流入施設８は、所謂排水桝であって、下水管路網を構成する流入管８１を通じて送られてくる雨水を一時的に貯留し、ゴミ除去フィルター８２で雨水に混じっている塵埃等を除去して後、地下貯水空間５０に注水するための施設である。
【００９４】
流出施設９は、所謂排水桝であって、地下貯水空間５０内に一定容量以上の雨水が流れ込んだ場合に、オーバーフローした雨水を、図示しない下流側の雨水貯留浸透施設に排水させるための施設であって、地下貯水空間５０から送られてくる雨水を一時的に貯留し、ゴミ除去フィルターで雨水に混じっている塵埃等を除去して後、排水管９１を通じて下流側の雨水貯留浸透施設に排水する。流出施設９は、雨水を円滑に流下させるためエア抜き管９３を有している。また、流出管９１とは別にオーバーフロー管９４を有していることにより、大雨の際など、効率的に雨水の排水を行うことができる。
【００９５】
図１５乃至図１８の雨水貯留浸透施設は、図１乃至図１２の組立体１を含むから、図１乃至図１２を参照して説明した組立体１の利点を全て有することができる。さらに図１８の中間板２０ｂを用いた場合、点検孔２８を通じて、下層側の第１の構造体１０ａの内部を観察することができるから、堆積物の除去などの維持管理を適切に行うことができる。
【００９６】
以上、好ましい実施例を参照して本発明の内容を具体的に説明したが、本発明の基本的技術思想及び教示に基づいて、当業者であれば、種種の変形態様を採り得ることは自明である。
【符号の説明】
【００９７】
１                  組立体
１０                構造体
１００              内部空間
１１                側壁部
１２                仕切り部
１６                第１の開口部
１７                第２の開口部
２０                中間板
２１                基板部
２５                凸部
２６                凹溝部
２７                点検孔
５０                地下貯水空間
【図１】
2012057388.tif 000003
【図２】
2012057388.tif 000004
【図３】
2012057388.tif 000005
【図４】
2012057388.tif 000006
【図５】
2012057388.tif 000007
【図６】
2012057388.tif 000008
【図７】
2012057388.tif 000009
【図８】
2012057388.tif 000010
【図９】
2012057388.tif 000011
【図１０】
2012057388.tif 000012
【図１１】
2012057388.tif 000013
【図１２】
2012057388.tif 000014
【図１３】
2012057388.tif 000015
【図１４】
2012057388.tif 000016
【図１５】
2012057388.tif 000017
【図１６】
2012057388.tif 000018
【図１７】
2012057388.tif 000019
【図１８】
2012057388.tif 000020
【図１９】
2012057388.tif 000021